(57)【要約】【課題】ユーザが電源を投入するために行なう動作を精度よく検知して体感的な起動時間の長さを緩和することのできる映像録画再生装置を提供する。【解決手段】本発明に係る映像録画再生装置は、待機状態中にリモコンが振動を検知した時点で、電源状態を待機状態から稼動状態に移行する処理を開始する。【選択図】図２
2011066613.tif 000002
【特許請求の範囲】
【請求項１】
映像の録画または再生を行なう映像録画再生装置であって、
リモコンが送信した信号を受信する受信部と、
映像の録画または再生を行なう映像録画再生部と、
当該映像録画再生装置の電源状態を制御する制御部と、
を備え、
前記制御部は、
当該映像録画再生装置の電源状態が待機状態になっているとき、
前記リモコンが振動を検知した旨の信号を前記受信部が前記リモコンより受信すると、
当該映像録画再生装置の電源状態を待機状態から稼動状態に移行する処理を開始する
ことを特徴とする映像録画再生装置。
【請求項２】
前記制御部は、
前記処理を開始してから所定時間以内に、当該映像録画再生装置の電源状態を待機状態から稼動状態に移行すべき旨の操作信号を前記受信部が前記リモコンより受信しなかった場合には、
前記処理を中止して当該映像録画再生装置の電源状態を待機状態に移行する
ことを特徴とする請求項１記載の映像録画再生装置。
【請求項３】
前記制御部は、
前記処理を開始してから所定時間以内に、前記リモコンが傾斜を検知した旨の信号を前記受信部が前記リモコンより受信しなかった場合には、
前記処理を中止して当該映像録画再生装置の電源状態を待機状態に移行する
ことを特徴とする請求項１または請求項２記載の映像録画再生装置。
【請求項４】
前記制御部は、前記処理の過程で前記映像録画再生部を初期化して起動する
ことを特徴とする請求項１から請求項３のいずれか１項に記載の映像録画再生装置。
【請求項５】
請求項１から請求項４のいずれか１項に記載の映像録画再生装置と、
前記映像録画再生装置に対して操作信号を送信するリモコンと、
を有し、
前記リモコンは、
当該リモコンが振動したことを検知する振動センサを備え、
前記振動センサが当該リモコンの振動を検知するとその旨の信号を前記映像録画再生装置に送信する
ことを特徴とする映像録画再生システム。
【請求項６】
請求項２記載の映像録画再生装置と、
前記映像録画再生装置に対して操作信号を送信するリモコンと、
を有し、
前記リモコンは、
当該リモコンが振動したことを検知する振動センサと、
前記映像録画再生装置の電源状態を待機状態から稼動状態に移行すべき旨の操作入力を受け付ける電源操作部と、
を備え、
前記振動センサが当該リモコンの振動を検知するとその旨の信号を前記映像録画再生装置に送信し、
前記映像録画再生装置の電源状態を待機状態から稼動状態に移行すべき旨の操作入力を前記電源操作部が受け付けるとその旨の操作信号を前記映像録画再生装置に送信する
ことを特徴とする映像録画再生システム。
【請求項７】
請求項３記載の映像録画再生装置と、
前記映像録画再生装置に対して操作信号を送信するリモコンと、
を有し、
前記リモコンは、
当該リモコンが振動したことを検知する振動センサと、
前記映像録画再生装置の電源状態を待機状態から稼動状態に移行すべき旨の操作入力を受け付ける電源操作部と、
当該リモコンが傾斜したことを検知する傾斜センサと、
を備え、
前記振動センサが当該リモコンの振動を検知するとその旨の信号を前記映像録画再生装置に送信し、
前記映像録画再生装置の電源状態を待機状態から稼動状態に移行すべき旨の操作入力を前記電源操作部が受け付けるとその旨の操作信号を前記映像録画再生装置に送信し、
前記傾斜センサが当該リモコンの傾斜を検知するとその旨の信号を前記映像録画再生装置に送信する
ことを特徴とする映像録画再生システム。
【発明の詳細な説明】
【技術分野】
【０００１】
本発明は、映像を録画または再生する装置、およびその装置とリモコンを有する映像録画再生システムに関するものである。
【背景技術】
【０００２】
映像録画再生装置は、テレビなどの映像を動画データに変換してＨＤＤ（Ｈａｒｄ  Ｄｉｓｋ  Ｄｒｉｖｅ）などの記憶装置に記憶し、後にこれを再生することができる装置である。同機能のほか、ＤＶＤ（Ｄｉｇｉｔａｌ  Ｖｅｒｓａｔｉｌｅ  Ｄｉｓｃ）やＢｌｕ−ｌａｙ（登録商標、以下同じ）ディスクなどの映像記憶媒体に格納されている映像データを再生することができる機能が備わっている場合もある。
【０００３】
映像録画再生装置は、一般に電源を投入した後すぐに映像の再生、録画、設定などの操作が行えるわけではない。電源を投入すると、まず映像録画再生装置内部に格納されているＩＰＬ（Ｉｎｉｔｉａｌ  Ｐｒｏｇｒａｍ  Ｌｏａｄｅｒ）の起動、ハードディスクの回転開始、ハードディスク内や不揮発メモリ内のプログラムや装置情報の読み込み、プログラムの初期化などが実施される。これらが完了した後で初めて、映像の再生、録画、設定などの操作が行えるようになる。そのため、電源を投入してから実際に操作が可能になるまで、時間を要してしまう。
【０００４】
下記特許文献１では、上記のような体感的な起動時間の長さを緩和する技術として、人感センサを用いた手法が開示されている。
【先行技術文献】
【特許文献】
【０００５】
【特許文献１】特開２００８−５４０８５号公報
【発明の概要】
【発明が解決しようとする課題】
【０００６】
上記特許文献１に記載の技術では、ユーザが必ずしも装置を起動するために接近したわけではない場合でも、装置の起動処理が開始されてしまう可能性がある。
【０００７】
本発明は、上記のような課題を解決するためになされたものであり、ユーザが電源を投入するために行なう動作を精度よく検知して体感的な起動時間の長さを緩和することのできる映像録画再生装置を提供することを目的とする。
【課題を解決するための手段】
【０００８】
本発明に係る映像録画再生装置は、待機状態中にリモコンが振動を検知した時点で、電源状態を待機状態から稼動状態に移行する処理を開始する。
【発明の効果】
【０００９】
本発明に係る映像録画再生装置によれば、待機状態中にリモコンが振動したことを契機として起動処理を開始する。これにより、ユーザがリモコンを用いて映像録画再生装置を稼動状態にしようとしてリモコンに触れたなどの状況想定の下、体感的な起動時間の長さを緩和することができる。
【図面の簡単な説明】
【００１０】
【図１】実施の形態１に係る映像録画再生システム１０００の構成図である。
【図２】ユーザがリモコン２００を手に取るなどしてリモコン２００に振動が加わったときの映像録画再生装置１００の動作フローである。
【図３】実施の形態２に係る映像録画再生システム１０００の構成図である。
【図４】実施の形態２において、ユーザがリモコン２００を手に取るなどしてリモコン２００に振動が加わったときの映像録画再生装置１００の動作フローである。
【発明を実施するための形態】
【００１１】
＜実施の形態１＞
図１は、本発明の実施の形態１に係る映像録画再生システム１０００の構成図である。映像録画再生システム１０００は、映像録画再生装置１００、リモコン２００を有する。
【００１２】
映像録画再生装置１００は、テレビなどの映像を録画して後に再生するための装置であり、受信部１１０、映像録画再生部１２０、制御部１３０、ＨＤＤ１４０、制御プログラム１５０を備える。
【００１３】
受信部１１０は、リモコン２００が送信する操作信号を受信して制御部１３０に出力する。この操作信号は、例えば赤外線通信などの無線通信によって送受信される。
【００１４】
映像録画再生部１２０は、テレビなどの映像を録画して動画データに変換し、ＨＤＤ１４０に格納する。また、ＨＤＤ１４０に格納されている動画データを再生して出力する。ＤＶＤやＢｌｕ−ｌａｙディスクなどの映像記憶媒体に格納されている映像データを再生して出力する機能を備えていてもよい。
【００１５】
映像録画再生部１２０は、映像を動画データに変換するエンコーダ、動画データを復号するデコーダ、画像処理回路、ＤＶＤやＢｌｕ−ｌａｙディスクなどを載置するトレイや光学ヘッドなどの構成を、必要に応じて適宜備える。
【００１６】
制御部１３０は、映像録画再生装置１００の電源状態および映像録画再生部１２０の動作を制御する。ここでいう電源状態とは、主電源はＯＮになっているが各機能は休止している待機状態と、各機能が通常稼動している稼動状態とのことをいう。
【００１７】
待機状態は、リモコン２００から映像録画再生装置１００を稼動状態にすべき旨の操作信号（電源ＯＮ操作信号）を受信するために設けられている。待機状態のときは各機能が休止しているので消費電力を節約することができる。省エネの観点からはなるべく待機状態にしておくことが好ましいので、ユーザが映像録画再生装置１００を使用していないときは、待機状態になっていることが多いと想定される。
【００１８】
ＨＤＤ１４０は、動画データを記録するための記憶装置である。
制御プログラム１５０は、制御部１３０の動作を規定するソフトウェアプログラムである。制御部１３０は、制御プログラム１３０が規定する動作を実行することにより、上記各動作を実行する。制御プログラム１５０は、ＲＯＭ（Ｒｅａｄ  Ｏｎｌｙ  Ｍｅｍｏｒｙ）などの記憶装置に格納されている。その他のプログラムが存在する場合もあるが、説明の簡易のため省略した。
【００１９】
リモコン２００は、映像録画再生装置１００を遠隔操作するための装置であり、振動センサ２１０、電源ボタン２２０、操作ボタン２３０、制御部２４０を備える。また、映像録画再生装置１００と無線通信するための通信インタフェースを適宜備える。
【００２０】
振動センサ２１０は、リモコン２００が振動するとこれを検知して制御部２４０にその旨の信号を出力する。振動センサ２１０には検知感度が設定されており、ある程度以上の振動がリモコンに加わったときにこれを検知する。検知感度は、制御部２４０で検出閾値を設けることにより設定してもよい。
【００２１】
電源ボタン２２０は、映像録画再生装置１００の電源をＯＮするよう指示するための電源操作部である。ここでいう「電源をＯＮする」とは、映像録画再生装置１００の電源状態を待機状態から稼動状態に移行させることをいう。
【００２２】
操作ボタン２３０は、種々の操作を行なうための操作部である。
制御部２４０は、振動センサ２１０より振動検知結果を受け取り、通信インタフェースを介して映像録画再生装置１００にその旨の無線信号を送信する。また、電源ボタン２２０、操作ボタン２３０が押下されたときは、これらのボタンの操作内容に対応する操作信号を、通信インタフェースを介して映像録画再生装置１００に送信する。
【００２３】
制御部１３０、制御部２４０は、マイコンやＣＰＵ（Ｃｅｎｔｒａｌ  Ｐｒｏｃｅｓｓｉｎｇ  Ｕｎｉｔ）などの演算装置とその動作を規定する上述の制御プログラム１５０を用いて構成することもできるし、これらの機能を実現する回路デバイスなどのハードウェアを用いて構成することもできる。
【００２４】
以上、本実施の形態１に係る映像録画再生システム１０００の構成について説明した。次に、映像録画再生システム１０００の動作について、映像録画再生装置１００の電源状態の観点から説明する。
【００２５】
図２は、ユーザがリモコン２００を手に取るなどしてリモコン２００に振動が加わったときの映像録画再生装置１００の動作フローである。以下、図２の各ステップについて説明する。
【００２６】
（図２：ステップＳ２００）
映像録画再生装置１００が待機状態にあるとき、ユーザがリモコン２００を手に取るなどしてリモコン２００に振動が加わったものとする。リモコン２００の振動センサ２１０はその振動を検知して制御部２４０に出力し、制御部２４０はその旨の信号を映像録画再生装置１００に無線送信する。映像録画再生装置１００の受信部１１０がその信号を受信すると、本動作フローが開始する。
【００２７】
（図２：ステップＳ２０１）
映像録画再生装置１００の制御部１３０は、リモコン２００が振動を検知した旨の信号を受け取ると、タイマをスタートさせる。これは、後述のステップＳ２０３の判断で用いる時間を計測するためのものである。
【００２８】
（図２：ステップＳ２０２）
制御部１３０は、ステップＳ２０１でタイマをスタートさせるとすぐに、電源状態を稼動状態へ移行させるための移行処理を開始する。ここでいう移行処理は、ＩＰＬの起動、ＨＤＤ１４０の回転開始、映像録画再生部１２０の初期化および起動、各プログラムの初期化など、電源状態を稼動状態に移行させるための種々の処理を含む。
【００２９】
（図２：ステップＳ２０３）
制御部１３０は、ステップＳ２０１でスタートしたタイマが所定時間を計時するまでの間に、リモコン２００の電源ボタン２２０が押下された旨の操作信号をリモコン２００より受信したか否かを判定する。押下されていればステップＳ２０４へ進み、押下されていなければステップＳ２０５へ進む。
【００３０】
（図２：ステップＳ２０４）
制御部１３０は、ステップＳ２０２で開始した稼動状態への移行処理を、処理が完了するまで継続する。
【００３１】
（図２：ステップＳ２０５）
制御部１３０は、ステップＳ２０２で開始した稼動状態への移行処理を中止する。
【００３２】
（図２：ステップＳ２０６）
制御部１３０は、映像録画再生装置１００の電源状態を待機状態へ移行させる。
【００３３】
以上、映像録画再生システム１０００の動作について、映像録画再生装置１００の電源状態の観点から説明した。
【００３４】
以上のように、本実施の形態１によれば、映像録画再生装置１００の制御部１３０は、待機状態になっているときにリモコン２００から振動を検知した旨の信号を受信すると、電源状態を稼動状態に移行させる処理を先行して開始する。これにより、ユーザがリモコン２００の操作を開始する前のリモコン２００を持ち上げた時点などで映像録画再生装置１００の起動処理を先行して開始することができるので、起動が完了するまでの体感的な待ち時間を短縮することができる。
【００３５】
また、本実施の形態１によれば、制御部１３０は、リモコン２００に振動が加わった時点で、電源状態を稼動状態に移行する処理を開始するので、ユーザがリモコン２００を操作する意図があるだろうと想定される前提の下で、上記処理を先行的に開始することができる。すなわち、リモコン２００にある程度以上の振動が加わったときは、ユーザがリモコン２００を手にとって操作を行なおうとしていることが予想されるので、上記処理を先行的に開始することで体感的な起動時間を短縮する効果が効果的に発揮される。
【００３６】
また、本実施の形態１によれば、制御部１３０は、電源状態を稼動状態に移行させる処理を開始してからタイマが所定時間を計時するまでの間に、電源ボタン２２０が押下された旨の信号を受け取らなかったときは、上記処理を中止して映像録画再生装置１００の電源状態を待機状態に戻す。これにより、ユーザがリモコン２００を操作するためではなく単に場所を移動させるためだけに手に取ったなどの場合には、映像録画再生装置１００を待機状態のままにして無駄な起動処理を行わないようにすることができる。
【００３７】
＜実施の形態２＞
本発明の実施の形態２では、ユーザがリモコン２００を用いて操作を行なおうとしているか否かを判断するための基準をより厳密にした構成と動作例を説明する。本実施の形態２では、所定時間内に電源ボタン２２０が押下されたか否かに加えて、所定時間内にリモコン２００が傾斜したか否かを判断基準に追加する。リモコン２００が傾斜したときは、ユーザがリモコン２００を操作しようとしているものと想定されることによる。
【００３８】
図３は、本実施の形態２に係る映像録画再生システム１０００の構成図である。本実施の形態２において、リモコン２００は、実施の形態１の図１で説明した構成に加えて新たに傾斜センサ２５０を備える。その他の構成は実施の形態１と概ね同様であるため、以下では差異点を中心に説明する。
【００３９】
傾斜センサ２５０は、リモコン２００が傾斜するとこれを検知して制御部２４０にその旨の信号を出力する。傾斜センサ２５０には検知感度が設定されており、リモコンがある程度以上傾斜したときにこれを検知する。検知感度は、制御部２４０で検出閾値を設けることにより設定してもよい。
【００４０】
図４は、本実施の形態２において、ユーザがリモコン２００を手に取るなどしてリモコン２００に振動が加わったときの映像録画再生装置１００の動作フローである。以下、図４の各ステップについて説明する。
【００４１】
（図４：ステップＳ４００〜Ｓ４０２）
これらのステップは、図２のステップＳ２００〜Ｓ２０２と同様である。
【００４２】
（図４：ステップＳ４０３）
制御部１３０は、ステップＳ４０１でスタートしたタイマが所定時間を計時するまでの間に、リモコン２００が傾斜を検出した旨の信号をリモコン２００より受信したか否かを判定する。受信していればステップＳ４０４へ進み、受信していなければステップＳ４０６へ進む。なお、本ステップにおける傾斜とは、水平面に対するリモコンの傾斜角度が変化したことを指すものとしてもよいし、傾斜角度が変化したか否かによらず水平面に対する絶対傾斜角度をもって傾斜しているか否かを判定するものでもよい。リモコン２００の変位を検出する観点では、前者のほうが好ましい。
【００４３】
（図４：ステップＳ４０４〜Ｓ４０７）
これらのステップは、図２のステップＳ２０３〜Ｓ２０６と同様である。
【００４４】
以上、本実施の形態２における映像録画再生システム１０００の動作について、映像録画再生装置１００の電源状態の観点から説明した。
【００４５】
なお、ステップＳ４０３における所定時間とステップＳ４０４における所定時間は、同じ時間でもよいし異なっていてもよい。さらには、所定時間の起算時点を同じにしてもよいし、個別に起算してもよい。所定時間も起算時点も同じである場合は、リモコン２００の傾斜と電源ボタン２２０の押下がともに所定時間内に発生しない限り、稼動状態への移行処理は中止されることになる。
【００４６】
以上のように、本実施の形態２によれば、映像録画再生装置１００の制御部１３０は、電源状態を稼動状態に移行させる処理を開始してからタイマが所定時間を計時するまでの間に、リモコン２００が傾斜した旨の信号を受け取らなかったときは、上記処理を中止して映像録画再生装置１００の電源状態を待機状態に戻す。これにより、実施の形態１と同様に、ユーザがリモコン２００を操作するためではなく単に場所を移動させるためだけに手に取ったなどの場合には、映像録画再生装置１００を待機状態のままにすることができる。
【００４７】
また、本実施の形態２によれば、制御部１３０は、実施の形態１で説明した、所定時間内に電源ボタン２２０が押下されたか否かという判断基準に加えて、所定時間内にリモコン２００が傾斜したか否かを判断基準に追加する。これにより、ユーザがリモコン２００を用いて操作を行なおうとしているか否かを判断するための基準をより厳密にすることができる。例えば、リモコンが机の反対側端のように少し離れた所にあるような場合、まずリモコンを手元に水平に移動させるが、この際に振動が加わりＳ４００からＳ４０２により移行処理が開始される。その後手にとることでＳ４０３の傾斜検知が行われ、Ｓ４０４、Ｓ４０５の移行処理が継続される。しかし、単にリモコンを移動しただけの場合は、振動を検知してＳ４００からＳ４０２の移行処理が開始されるが、Ｓ４０３で傾斜は検知されないため移行処理はＳ４０６で中止されることになる。また、ユーザの体が誤って電源ボタン２２０に触れ、電源ボタン２２０を押下するとともにリモコン２００に振動を加えたような場合には、ユーザがさらにリモコン２００を手にとって傾斜させない限り、稼動状態への移行処理は行われない。
【００４８】
＜実施の形態３＞
以上の実施の形態１〜２において、リモコン２００が備える振動センサ２１０や傾斜２５０の検知感度を調整することにより、操作感を変更することができる。例えば、実施の形態１において振動センサ２１０の検知感度を低く設定した場合は、ユーザがリモコン２００を手に持って移動させる程度では、電源状態を稼動状態に移行させる処理は開始しにくくなる。
【００４９】
同様に、図２および図４における所定時間の長さを調整することによって、操作感を変更することができる。例えば、実施の形態２において、ステップＳ４０３の所定時間とステップＳ４０４の所定時間を同じまたは略同じ短時間の値に設定し、起算時点を同じにした場合は、リモコン２００を手にとってすぐに電源ボタン２２０を押下しない限り、電源状態を稼動状態に移行させる処理は開始しない。
【符号の説明】
【００５０】
１００：映像録画再生装置、１１０：受信部、１２０：映像録画再生部、１３０：制御部、１４０：ＨＤＤ、１５０：制御プログラム、２００：リモコン、２１０：振動センサ、２２０：電源ボタン、２３０：操作ボタン、２４０：制御部、２５０：傾斜センサ、１０００：映像録画再生システム。
【図１】
2011066613.tif 000003
【図２】
2011066613.tif 000004
【図３】
2011066613.tif 000005
【図４】
2011066613.tif 000006